(57)【要約】【課題】  日常業務において頻繁に用いられる日付印の日付を老若隔てなく明瞭に見得る印影で確認しつつ調整することができる簡素な構造を持った日付印用印影確認器を提供。【解決手段】  印影を転写させる刻印部１の一部に可変刻印部２を備え、当該可変刻印部２を構成する数字又は記号が刻設された複数の無端転写ベルトの回転調整により日付変更する日付印用の印影確認器であって、前記刻印部１の印面を定位置に支持する支持フレーム４と、当該支持フレーム４に支持された日付印５の印面３を日付調整者に向けて写す鏡６と、当該鏡６に写る印面３を照らす照明手段とを具備した日付印用印影確認器。【選択図】      図１
2006123274.tif 000002
【特許請求の範囲】
【請求項１】
印影を転写させる刻印部（１）の一部に可変刻印部（２）を備え、当該可変刻印部（２）を構成する数字又は記号が刻設された複数の転写部材の調整により日付変更する日付印用の印影確認器であって、
前記刻印部（１）の印面（３）を定位置に支持する支持フレーム（４）と、当該支持フレーム（４）に支持された日付印（５）の印面（３）を日付調整者に向けて写す鏡（６）と、当該鏡（６）に写る印面（３）を照らす照明手段と、
を具備した日付印用印影確認器。
【請求項２】
前記支持フレーム（４）が、前記刻印部（１）の周縁を支持する孔（７）を持つ台座と、前記鏡（６）と日付印（５）の印面（３）との距離、又は当該鏡（６）の向きを調整可能に支持するガイドフレームと、を具備した前記請求項１に記載の日付印用印影確認器。
【請求項３】
前記支持フレーム（４）に支持された日付印（５）の印面（３）を、前記鏡（６）に拡大して写すレンズ（８）を具備した前記請求項１又は２のいずれかに記載の日付印用印影確認器。
【請求項４】
前記支持フレーム（４）が、前記レンズ（８）と日付印（５）の印面（３）との距離を調整可能に支持するガイドフレームを具備した前記請求項３に記載の日付印用印影確認器。
【請求項５】
前記支持フレーム（４）によって刻印部（１）が定位置に支持されたことを検出して前記照明手段を点灯させる照明スイッチ（９）を具備した前記請求項１乃至請求項４のいずれかに記載の日付印用印影確認器。
【請求項６】
本日の日付を表示するカレンダー手段を具備した前記請求項１乃至請求項５のいずれかに記載の日付印用印影確認器。
【発明の詳細な説明】
【技術分野】
【０００１】
本発明は、印影を転写させる刻印部の一部に備えられた可変刻印部の調整の便宜を図る日付印用印影確認器に関する。
【背景技術】
【０００２】
従来より、年月日等を調整可能に印字する可変刻印部と、氏等の転写内容が固定された不変刻印部とからなる刻印部を具備した日付印（例えば、下記特許文献１参照）が提供されている。当該日付印の不変刻印部は、印面台に固定してあり、一方、可変刻印部は、印面台を日付印本体に対してスライドさせることにより、可変刻印部の転写内容が刻設された複数の無端転写ベルトを回転操作でき、前記転写内容たる日付を適宜調整することができる。
【発明の開示】
【発明が解決しようとする課題】
【０００３】
しかしながら、前記従来からの日付印は、印面に刻設された数字等が鏡像であることや、比較的文字サイズが小さいことに拠って、高齢者ではなくとも日付が合わせ辛いというのが現実である。しかも、当該日付印は、前記の如く印面台をスライドさせなければ前記無端転写ベルトを回転操作することができないことから、日付の調整に際して、前記可変刻印部が印面に対して背後に後退し、当該可変刻印部の転写内容が更に見辛くなるという問題があった。
【０００４】
この様な問題点を解決するに有用な道具や方法は、現時点では見当たらず、強いて挙げるとしても、例えば、下記特許文献２の様に電子的に印影画像を取得するといった手法は、当該問題点の解決には不相応であり、机上等を広く占有する結果ともなって、却って日常の業務等を妨げる結果ともなりかねない。
【０００５】
【特許文献１】特開２００２−１４４６８６号公報
【特許文献２】特開２００１−１３４７４７号公報
【０００６】
本発明は、上記実情に鑑みて為されたものであって、日常業務において頻繁に用いられる日付印の日付を、老若隔てなく明瞭に見得る印影で確認しつつ調整することができる簡素な構造を持った日付印用印影確認器を提供することを目的とする。
【課題を解決するための手段】
【０００７】
上記課題を解決するためになされた本発明による日付印用印影確認器は、印影を転写させる刻印部の一部に可変刻印部を備え、当該可変刻印部を構成する数字又は記号が刻設された複数の無端転写ベルトの回転調整により日付変更する日付印用の印影確認器であって、前記刻印部の印面を定位置に支持する支持フレームと、当該支持フレームに支持された日付印の印面を日付調整者に向けて写す鏡と、当該鏡に写る印面を照らす照明手段とを具備したことを特徴とする。
【０００８】
上記日付印用印影確認器を構成する要素の具体的な構造、若しくは付加的な構造としては、前記支持フレームが、前記刻印部の周縁を支持する孔を持つ台座と、前記鏡と日付印の印面との距離、又は当該鏡の向きを調整可能に支持するガイドフレームと、を具備した構造や、前記支持フレームに支持された日付印の印面を、前記鏡に拡大して写すレンズを具備した構成や、前記支持フレームが、前記レンズと日付印の印面との距離を調整可能に支持するガイドフレームを具備した構成や、前記支持フレームによって刻印部が定位置に支持されたことを検出して前記照明手段を点灯させる照明スイッチを具備した構成や、本日の日付を表示するカレンダー手段を具備した構成が挙げられる。
【発明の効果】
【０００９】
本発明による日付印用印影確認器によれば、日付印の印面に刻設された数字等を鏡文字ではなく通常の文字で確認することができる他、レンズ等を用いて比較的大きい文字サイズで確認することができる。また、日付の調整に際して、前記可変刻印部が印面に対して背後に後退し、当該可変刻印部の転写内容が更に見辛くなるという問題も、照明手段を設けることによって解決でき、日常業務において頻繁に用いられる日付印の日付を、老若隔てなく明瞭に見得る印影で確認しつつ調整することができる。更に、当該照明のスイッチが、前記支持フレームによって刻印部が定位置に支持されたことを検出して点灯する構造を採ることによって、照明装置の消し忘れによる電池の無駄遣いもなく、一々スイッチを
操作する手間も省ける。
【発明を実施するための最良の形態】
【００１０】
以下、本発明による日付印用印影確認器の実施の形態を、図面を示しつつ説明する。
図に示す例は、印影を転写させる刻印部１の一部に可変刻印部２を備え、当該可変刻印部２を構成する数字又は記号が刻設された複数の無端転写ベルト１０の回転調整により日付変更する日付印（図２参照）用に形成された印影確認器（以下、印影確認器と記す）である。
【００１１】
当該例の印影確認器は、前記刻印部１の印面３を定位置に支持する支持フレーム４と、当該支持フレーム４に支持された日付印５の印面３を日付調整者に向けて写す鏡６と、当該鏡６に写る印面３を照らす照明手段と、前記支持フレーム４に支持された日付印５の印面３を前記鏡６に拡大して写すレンズ８と、本日の日付を表示するカレンダー手段を具備した印影確認器である。
【００１２】
前記支持フレーム４は、合成樹脂板を用いて箱状に形成され、前記刻印部１の周縁を支持する孔（以下、支持孔と記す）７を持つ方形状の天板１１を台座とし、前記鏡６及びレンズ８と日付印５の印面３との間の距離を調整可能に支持すべく、それらの支持部材１２，１３を定着する為のビス１４，１５が通され、且つ前記印面３に対して前後に移動可能とする為の長孔１６，１７を設けた背板１８をガイドフレームとしている。表板１９には、その上部に穿設された小窓孔２０から前記カレンダー手段の表示部２１が覗く形で固定され、下部に前記印面３を日付調整者にむけて写す鏡面を露出する窓孔２２が設けてあり、側板２３は、当該支持フレーム４の両側方を覆う様に設けられている。
【００１３】
前記レンズ８の支持部材１３は、当該レンズと前記台座の支持孔７とを正対させつつ両者間の距離を調整できるように、前記ガイドフレームたる背板１８に沿って摺動し、天板１１とレンズ８との平行状態を保つ様に支持する構造となっているが、前記鏡６の支持部材１２は、当該鏡６の向きを調整可能に支持し得る様に開き角を固定し得るヒンジ２４を備えている。
【００１４】
当該例における前記照明手段は、白色のＬＥＤ２５と、乾電池を用いた電源２６と、前記ＬＥＤ２５を点灯させる照明スイッチ９で構成され、前記ＬＥＤ２５は、前記天板１１の下方の前記支持孔７を照らす位置に印面を照らし得る向きで支持され、当該ＬＥＤ２５に用いられる電源２６は、当該支持フレーム４の内部の鏡６の下方の前記背板１８の裏面に固定されている。また、前記照明スイッチ９には、前記天板１１に固定したリミットスイッチが用いられ、当該リミットスイッチの位置検出部２７が、前記台座の支持孔７に日付印５の刻印部１がセットされた際の日付印の位置を検出し、前記ＬＥＤ２５と電源２６とをつなぐ回路を閉じ、自動的にＬＥＤ２５を点灯させる。
【００１５】
当該例における前記カレンダー手段は、当日の日付を正確に表示する前記表示部２１を具備した液晶パネル時計と乾電池を用いた電源とで構成され、当該例においては、前記ＬＥＤ２５の電源として用いられる電源２６を兼用する形で用いられ、常時稼動している様に構成されている。
【産業上の利用可能性】
【００１６】
以上の如く、本発明による日付引用印影確認器は、種々の産業における事務分野において有効利用できる。
【図面の簡単な説明】
【００１７】
【図１】本発明による日付印用印影確認器の一例を示した（Ａ）：縦断面図、（Ｂ）：正面図、及び（Ｃ）：平面図である。
【図２】本発明による日付印用印影確認器の実施態様例を示した正面図である。
【図３】日付印の（Ａ）：鏡に写し出された印影、及び（Ｂ）：日付調整時における刻印部の一例を示す説明図である。
【符号の説明】
【００１８】
１  刻印部，２  可変刻印部，３  印面，４  支持フレーム，５  日付印，
６  鏡，７  孔，８  レンズ，９  照明スイッチ，１０  無端転写ベルト，
１１  天板，１２  支持部材，１３  支持部材，１４  ビス，１５  ビス，
１６  長孔，１７  長孔，１８  背板，１９  表板，２０  小窓孔，２１  表示部，
２２  窓孔，２３  側板，２４  ヒンジ，２５  ＬＥＤ，２６  電源，
２７  位置検出部，
【図１】
2006123274.tif 000003
【図２】
2006123274.tif 000004
【図３】
2006123274.tif 000005